(57)【要約】【課題】フリッカの発生を抑制し、かつ開口率の向上を図る。【解決手段】複数の走査線２２と複数のデータ線２１との各交差に対応して配設された画素電極３と、画素電極毎に印加する電圧を制御するスイッチング素子２と、複数のデータ線と複数の走査線の交差領域に挟持される液晶と、画素電極に対して対向配置された対向電極４とからなる画素１を有し、画素を交流駆動して表示する液晶表示装置であって、複数の画素の各々にデータを書き込む際に交流駆動を行うための制御信号が正極性の区間における画素の光学特性と、前記制御信号が負極性の区間における画素の光学特性とが同一になるように各画素に書き込むデータを補正するガンマ変換回路１３を有する。【選択図】図１
2006350391.tif 000002
【特許請求の範囲】
【請求項１】
複数のデータ線と複数の走査線との交差に対応して配置された液晶を備える複数の画素を、交流駆動により表示する液晶表示装置の駆動方法において、
前記交流駆動は、面反転駆動であり、
前記画素を構成する画素電極が形成された素子基板に対向する対向基板にはブラックマスクを形成しないようにすると共に、
前記複数の画素の各々にデータを書き込む際に、前記交流駆動を行うための制御信号が正極性の区間における平均的な画素の光学特性と、前記制御信号が負極性の区間における平均的な画素の光学特性とが同一になるように、前記画素を構成する液晶自体または、該液晶の周囲温度の変化を考慮して、前記液晶表示装置の表示エリアを複数のエリアに分割し、各エリアを代表する画素についてフリッカの発生を無くすための補正データを予め用意し、該補正データに基づいて各画素に書き込むデータを補正することを特徴とする液晶表示装置の駆動方法。
【請求項２】
複数の走査線と複数のデータ線との各交差に対応して配設された画素電極と、該画素電極毎に印加する電圧を制御するスイッチング素子と、前記複数のデータ線と複数の走査線の交差に対応して配置された液晶と、前記画素電極に対して対向配置された対向電極とからなる画素を有し、前記画素を交流駆動して表示する液晶表示装置の駆動回路において、
前記交流駆動は、面反転駆動であり、
前記画素を構成する画素電極が形成された素子基板に対向する対向基板にはブラックマスクを形成しないようにすると共に、
前記複数の画素の各々にデータを書き込む際に、前記交流駆動を行うための制御信号が正極性の区間における平均的な画素の光学特性と、前記制御信号が負極性の区間における平均的な画素の光学特性とが同一になるように、前記各画素に書き込むデータの補正は、前記画素を構成する液晶自体または、該液晶の周囲温度の変化を考慮して各画素に書き込むデータを補正するデータ補正手段と、
表示画面に発生するフリッカを検出するフリッカ検出手段を有し、
前記データ補正手段は、前記フリッカ検出手段の検出出力に基づいてフリッカを無くすように前記液晶表示装置の表示エリアを複数のエリアに分割し、各エリアを代表する画素についてフリッカの発生を無くすための補正データを予め用意し、該補正データに基づいて画素に書き込むデータを補正することを特徴とする液晶表示装置の駆動回路。
【請求項３】
複数の走査線と複数のデータ線との各交差に対応して配設された画素電極と、該画素電極毎に印加する電圧を制御するスイッチング素子と、前記複数のデータ線と複数の走査線の交差に対応して配置された液晶と、前記画素電極に対して対向配置された対向電極とからなる画素と、前記走査線を駆動する走査線駆動回路と、前記データ線を駆動するデータ線駆動回路と、前記走査線駆動回路及びデータ線駆動回路を制御する制御手段とを有し、前記画素を前記走査線駆動回路及びデータ線駆動回路により面反転駆動して表示する液晶表示装置であって、
前記画素を構成する画素電極が形成された素子基板に対向する対向基板にはブラックマスクを形成しないようにすると共に、
さらに、表示画面に発生するフリッカを検出するフリッカ検出手段を有し、
前記制御手段は、前記複数の画素の各々にデータを書き込む際に、前記交流駆動を行うための制御信号が正極性の区間における平均的な画素の光学特性と、前記制御信号が負極性の区間における平均的な画素の光学特性とが同一になるように、前記各画素に書き込むデータの補正は、前記画素を構成する液晶自体または、該液晶の周囲温度の変化を考慮して各画素に書き込むデータを補正するデータ補正手段を有し、
前記データ補正手段は、前記フリッカ検出手段の検出出力に基づいてフリッカを無くすように前記液晶表示装置の表示エリアを複数のエリアに分割し、各エリアを代表する画素についてフリッカの発生を無くすための補正データを予め用意し、該補正データに基づいて画素に書き込むデータを補正することを特徴とする液晶表示装置。
【請求項４】
請求項３に記載の液晶表示装置を有することを特徴とする電子機器。
【発明の詳細な説明】
【技術分野】
【０００１】
本発明は、液晶表示装置の駆動方法、液晶表示装置の駆動回路、及び液晶表示装置並びに電子機器に関する。
【背景技術】
【０００２】
電気光学材料として液晶を用いた液晶表示装置は、陰極線管（ＣＲＴ）に代わるディスプレイデバイスとして、各種情報処理機器の表示部や液晶テレビなどに広く用いられている。
従来の液晶表示装置は、マトリクス状に配列した画素電極と、この画素電極に接続されたＴＦＴ（Thin Film Transistor :薄膜トランジスタ）のようなスイッチング素子などが設けられた素子基板と、画素電極に対向する対向電極（共通電極）が形成された対向基板と、これら両基板の間に充填された液晶とから構成される。このように構成された液晶表示装置では、液晶の寿命を延ばすために交流駆動を行うのが一般的である。
【０００３】
図１２に階調表示を行う際における階調データ（入力データ）Ｎと液晶に印加する電圧（以下、液晶駆動電圧と記す。）Ｖとの関係を示す。同図に示すように、特定の階調Ｎ0（例えば、目標透過率Ｔ0を得るための階調）で画像を表示するためには液晶、すなわち、共通電極と画素電極との間に電圧Ｖ0を印加する必要がある。
ところが、液晶を交流駆動する際に、画素電極に正極性の電圧が印加される時と、負極性の電圧が印加される時とで、画素へのデータの書き込み特性が図１３に示すように異なる。図１３は、液晶駆動電圧Ｖと液晶の透過率Ｔとの関係を示す特性図であり、曲線Ｑ１は、画素電極に正極性の電圧が印加されるときの特性を示し、曲線Ｑ２は、画素電極に負極性の電圧が印加されるときの特性を、それぞれ示している。
【０００４】
図１３において、絶対値で同レベルの電圧Ｖ0を印加した場合に画素電極に正極性の電圧が印加される時と、負極性の電圧が印加される時とで、液晶の透過率がＴ1、Ｔ2と異なる。したがって、図１４に示すように、フィールド毎に反転する交流化信号ＦＲで液晶を駆動する場合（図１４（Ａ））には、目標透過率Ｔ0を得ようとしても画素電極に正極性の電圧が印加される時と、負極性の電圧が印加される時とで、液晶の透過率が異なるために交流か信号ＦＲの反転周期で液晶の透過率が大きく変化し、液晶表示装置の表示画面上で、フリッカとなって現れる（図１４（Ｂ））。
【０００５】
従来は、液晶をライン反転駆動方式、またはドット反転駆動方式により液晶を駆動し、画面上、透過率の変化を平均化するか、あるいは面反転駆動方式により液晶を駆動する場合には、交流化信号ＦＲの周波数、すなわちフィールド周波数を高くすることにより、上述したフリッカの発生を抑制するよう対策を講じていた。
【発明の開示】
【発明が解決しようとする課題】
【０００６】
図１０にドット反転駆動方式における各画素電極に書き込まれる電位の極性の一例と、隣接する画素における電界の発生状態を、図１１に面反転駆動方式における画素電極に書き込まれる電位の極性の一例と、隣接する画素における電界の発生状態を、それぞれ示す。図１０（Ｂ）に示すように素子基板５０には、画素電極が形成されており、同図には説明の便宜上、隣接する２つの画素電極５２Ａ，５２Ｂが示されている。また、素子基板５０に対して、所定のギャップが保持された状態で画素電極５２Ａ，５２Ｂに対向する共通電極５４が形成された対向基板５６が設けられている。図１０（Ａ）に示すように、ある特定のフィールドで各画素電極には隣接する画素電極とは異なる極性の電圧が共通電極５６との間で印加され、各画素に書き込まれる。
【０００７】
この時、図１０（Ｂ）に示すドット反転駆動方式では、各画素電極と共通電極との間で縦方向電界が発生すると共に、隣接する画素電極間での電位差が大きくなるので、隣接する画素電極間に横方向の電界が発生する。特に、プロジェクション用ライトバルブ等、画素サイズが小さい液晶表示装置においては隣接画素電極からの電界（横方向電界）の影響により画素周辺にディスクリネーションが発生しやすくなり、コントラストの低下を招く。
これを回避するために、隣接する画素電極間に対向する共通電極５４の対向部位にブラックマスク５８を設けている。この場合に画素電極間に発生する横方向電界に起因するコントラストの低下を確実に防止するためにはブラックマスク領域を大きく形成する必要がある。この結果、開口率の低下を招き、光の利用効率も低下するという問題が有った。
【０００８】
また、面反転駆動方式で液晶を駆動する場合には、全画素が共通電極との間で同極性の電圧が印加され、例えば、図１１（Ａ）に示すようにある特定フィールドでは正極性の電圧が各画素電極と共通電極との間印加され、各画素に書き込まれる。この面反転駆動方式では、隣接する画素電極間では、電位差は生じないので、縦方向電界のみが発生する。したがって、ライン反転駆動方式、またはドット反転駆動方式のように画素電極間に発生する横方向電界に起因するコントラストの低下は生じないため、対向基板側にブラックマスクを設ける必要はない。しかしながら、既述したように交流化信号の反転周期でフリッカが発生するという問題が有る。
【０００９】
本発明はこのような事情に鑑みてなされたものであり、フリッカの発生を抑制し、かつ開口率の向上を図った液晶表示装置の駆動方法、液晶表示装置の駆動回路、及び液晶表示装置を提供することを目的とする。
【課題を解決するための手段】
【００１０】
上記目的を達成するために、第１の発明は、複数のデータ線と複数の走査線との交差に対応して配置された液晶を備える複数の画素を、交流駆動により表示する液晶表示装置の駆動方法において、
前記交流駆動は、面反転駆動であり、前記画素を構成する画素電極に対向配置された対向電極にはブラックマスクを形成しないようにすると共に、前記複数の画素の各々にデータを書き込む際に、前記交流駆動を行うための制御信号が正極性の区間における平均的な画素の光学特性と、前記制御信号が負極性の区間における平均的な画素の光学特性とが同一になるように、前記画素を構成する液晶自体または、該液晶の周囲温度の変化を考慮して、前記液晶表示装置の表示エリアを複数のエリアに分割し、各エリアを代表する画素についてフリッカの発生を無くすための補正データを予め用意し、該補正データに基づいて各画素に書き込むデータを補正することを特徴とする。
【００１１】
また、第１の発明の一態様においては、前記各画素に書き込むデータの補正は、前記画素を構成する液晶自体または、該液晶の周囲温度の変化を考慮して行うことを特徴とする。
さらに、第１の発明の他の態様においては、前記交流駆動は、面反転駆動であることを特徴とする。
【００１２】
第１の発明によれば、複数のデータ線と複数の走査線との交差領域に挟持される液晶を備える複数の画素が、交流駆動により表示される。この場合において、前記複数の画素の各々にデータを書き込む際に、前記交流駆動を行うための制御信号が正極性の区間における平均的な画素の光学特性と、前記制御信号が負極性の区間における平均的な画素の光学特性とが同一になるように、各画素に書き込むデータが補正される。
これにより、液晶表示装置の表示画面におけるフリッカの発生を抑制し、かつ開口率の向上が図れる。
【００１３】
また、前記各画素に書き込むデータの補正は、前記画素を構成する液晶自体または、該液晶の周囲温度の変化を考慮して行う。
これにより、液晶自体または、該液晶の周囲温度の変化に対応して適切にフリッカを抑制することができる。
また、液晶表示装置における前記交流駆動は、面反転駆動により行われる。
これにより、フリッカの抑制効果に加えて、隣接する画素間で横方向電界が生じず、それゆえ、横方向電界の発生に起因する表示画面におけるコントラストの低下を防止するために必要であったブラックマスクを画素電極が形成された素子基板に対向する対向基板に設ける必要がなく、開口率の向上が図れる。
【００１４】
また、第２の発明は、複数の走査線と複数のデータ線との各交差に対応して配設された画素電極と、該画素電極毎に印加する電圧を制御するスイッチング素子と、前記複数のデータ線と複数の走査線の交差に対応して配置された液晶と、前記画素電極に対して対向配置された対向電極とからなる画素を有し、前記画素を交流駆動して表示する液晶表示装置の駆動回路において、前記交流駆動は、面反転駆動であり、前記画素を構成する画素電極に対向配置された対向電極にはブラックマスクを形成しないようにすると共に、前記複数の画素の各々にデータを書き込む際に、前記交流駆動を行うための制御信号が正極性の区間における平均的な画素の光学特性と、前記制御信号が負極性の区間における平均的な画素の光学特性とが同一になるように、前記各画素に書き込むデータの補正は、前記画素を構成する液晶自体または、該液晶の周囲温度の変化を考慮して各画素に書き込むデータを補正するデータ補正手段と、表示画面に発生するフリッカを検出するフリッカ検出手段を有し、前記データ補正手段は、前記フリッカ検出手段の検出出力に基づいてフリッカを無くすように前記液晶表示装置の表示エリアを複数のエリアに分割し、各エリアを代表する画素についてフリッカの発生を無くすための補正データを予め用意し、該補正データに基づいて画素に書き込むデータを補正することを特徴とする。
【００１５】
第２の発明の一態様においては、前記データ補正手段は、記各画素に書き込むデータの補正は、前記画素を構成する液晶自体または、該液晶の周囲温度の変化を考慮して行うことを特徴とする。
また、第２の発明の他の態様においては、さらに、表示画面に発生するフリッカを検出するフリッカ検出手段を有し、前記データ補正手段は、前記フリッカ検出手段の検出出力に基づいてフリッカを無くすように画素に書き込むデータを補正することを特徴とする。
さらに、第２の発明のさらに他の態様においては、前記交流駆動は、面反転駆動であることを特徴とする。
【００１６】
第２の発明によれば、複数の走査線と複数のデータ線との各交差に対応して配設された画素電極と、該画素電極毎に印加する電圧を制御するスイッチング素子と、前記複数のデータ線と複数の走査線の交差領域に挟持される液晶と、前記画素電極に対して対向配置された対向電極とからなる画素が交流駆動され表示される。この場合において、前記複数の画素の各々にデータを書き込む際に、前記交流駆動を行うための制御信号が正極性の区間における平均的な画素の光学特性と、前記制御信号が負極性の区間における平均的な画素の光学特性とが同一になるようにデータ補正手段により、各画素に書き込むデータが補正される。
これにより、液晶表示装置の表示画面におけるフリッカの発生を抑制し、かつ開口率の向上が図れる。
【００１７】
また、記各画素に書き込むデータの補正は、前記データ補正手段により、前記画素を構成する液晶自体または、該液晶の周囲温度の変化を考慮して行われる。
これにより、これにより、液晶自体または、該液晶の周囲温度の変化に対応して適切にフリッカを抑制することができる。
また、前記データ補正手段は、フリッカ検出手段の検出出力に基づいてフリッカを無くすように画素に書き込むデータを補正する。
これにより、液晶表示装置の表示画面において発生したフリッカを、フリッカの発生状態に応じて適切に抑制することができる。
また、液晶表示装置における前記交流駆動は、面反転駆動により行われる。
これにより、フリッカの抑制効果に加えて、隣接する画素間で横方向電界が生じず、それゆえ、横方向電界の発生に起因する表示画面におけるコントラストの低下を防止するために必要であったブラックマスクを画素電極が形成された素子基板に対向する対向基板に設ける必要がなく、開口率の向上が図れる。
【００１８】
また、第３の発明は、複数の走査線と複数のデータ線との各交差に対応して配設された画素電極と、該画素電極毎に印加する電圧を制御するスイッチング素子と、前記複数のデータ線と複数の走査線の交差に対応して配置された液晶と、前記画素電極に対して対向配置された対向電極とからなる画素と、前記走査線を駆動する走査線駆動回路と、前記データ線を駆動するデータ線駆動回路と、前記走査線駆動回路及びデータ線駆動回路を制御する制御手段とを有し、前記画素を前記走査線駆動回路及びデータ線駆動回路により面反転駆動して表示する液晶表示装置であって、さらに、表示画面に発生するフリッカを検出するフリッカ検出手段を有し、前記制御手段は、前記複数の画素の各々にデータを書き込む際に、前記交流駆動を行うための制御信号が正極性の区間における平均的な画素の光学特性と、前記制御信号が負極性の区間における平均的な画素の光学特性とが同一になるように、前記各画素に書き込むデータの補正は、前記画素を構成する液晶自体または、該液晶の周囲温度の変化を考慮して各画素に書き込むデータを補正するデータ補正手段を有し、前記データ補正手段は、前記フリッカ検出手段の検出出力に基づいてフリッカを無くすように前記液晶表示装置の表示エリアを複数のエリアに分割し、各エリアを代表する画素についてフリッカの発生を無くすための補正データを予め用意し、該補正データに基づいて画素に書き込むデータを補正することを特徴とする。
【００１９】
第３の発明の一態様においては、前記データ補正手段は、記各画素に書き込むデータの補正は、前記画素を構成する液晶自体または、該液晶の周囲温度の変化を考慮して行うことを特徴とする。
第３の発明の他の態様においては、さらに、表示画面に発生するフリッカを検出するフリッカ検出手段を有し、前記データ補正手段は、前記フリッカ検出手段の検出出力に基づいてフリッカを無くすように画素に書き込むデータを補正することを特徴とする。
第３の発明のさらに他の態様においては、前記制御手段は、前記画素を前記走査線駆動回路及びデータ線駆動回路により面反転駆動することを特徴とする。
【００２０】
第３の発明によれば、複数の走査線と複数のデータ線との各交差に対応して配設された画素電極と、該画素電極毎に印加する電圧を制御するスイッチング素子と、前記複数のデータ線と複数の走査線の交差領域に挟持される液晶と、前記画素電極に対して対向配置された対向電極とからなる画素が、制御手段により制御される走査線駆動回路及びデータ線駆動回路により交流駆動され、表示される。
この場合において、前記制御手段が有するデータ補正手段により、前記複数の画素の各々にデータを書き込む際に、前記交流駆動を行うための制御信号が正極性の区間における平均的な画素の光学特性と、前記制御信号が負極性の区間における平均的な画素の光学特性とが同一になるように各画素に書き込むデータが補正される。
これにより、液晶表示装置の表示画面におけるフリッカの発生を抑制し、かつ開口率の向上が図れる。
【００２１】
また、記各画素に書き込むデータの補正は、前記データ補正手段により、前記画素を構成する液晶自体または、該液晶の周囲温度の変化を考慮して行われる。
これにより、これにより、液晶自体または、該液晶の周囲温度の変化に対応して適切にフリッカを抑制することができる。
また、前記データ補正手段は、フリッカ検出手段の検出出力に基づいてフリッカを無くすように画素に書き込むデータを補正する。
これにより、液晶表示装置の表示画面において発生したフリッカを、フリッカの発生状態に応じて適切に抑制することができる。
【００２２】
また、前記制御手段は、前記画素を前記走査線駆動回路及びデータ線駆動回路により面反転駆動する。
これにより、フリッカの抑制効果に加えて、隣接する画素間で横方向電界が生じず、それゆえ、横方向電界の発生に起因する表示画面におけるコントラストの低下を防止するために必要であったブラックマスクを画素電極が形成された素子基板に対向する対向基板に設ける必要がなく、開口率の向上が図れる。
【００２３】
さらに、第４の発明に係る電子機器にあっては、上記液晶表示装置を有するので、液晶表示装置の表示画面におけるフリッカの発生を抑制することができる。
また、第４の発明に係る電子機器は、上記液晶表示装置を有するので、液晶自体または、該液晶の周囲温度の変化に対応して適切にフリッカを抑制することができる。
また、第４の発明に係る電子機器は、上記液晶表示装置を有するので、液晶表示装置の表示画面において発生したフリッカを、フリッカの発生状態に応じて適切に抑制することができる。
【００２４】
さらに、第４の発明に係る電子機器は、上記液晶表示装置を有するので、画素を前記走査線駆動回路及びデータ線駆動回路により面反転駆動することにより、フリッカの抑制効果に加えて、隣接する画素間で横方向電界が生じず、それゆえ、横方向電界の発生に起因する表示画面におけるコントラストの低下を防止するために必要であったブラックマスクを画素電極が形成された素子基板に対向する対向基板に設ける必要がなく、開口率の向上が図れる。
【００２５】
また、本発明の他の態様は、複数のデータ線と複数の走査線との交差領域に挟持される液晶を備える複数の画素を、交流駆動により表示する液晶表示装置の駆動方法において、前記複数の画素の各々にデータを書き込む際に前記交流駆動を行うための制御信号が正極性の区間における画素の書き込み特性と、前記制御信号が負極性の区間における画素の書き込み特性とが同一になるように各画素に書き込むデータを補正することを特徴とする。
【００２６】
また、本発明の他の態様においては、前記各画素に書き込むデータの補正は、前記画素を構成する液晶自体または、該液晶の周囲温度の変化を考慮して行うことを特徴とする。
さらに、本発明の他の態様においては、前記交流駆動は、面反転駆動であることを特徴とする。
【００２７】
上記本発明の他の態様によれば、複数のデータ線と複数の走査線との交差領域に挟持される液晶を備える複数の画素が、交流駆動により表示される。この場合において、前記複数の画素の各々にデータを書き込む際に、前記交流駆動を行うための制御信号が正極性の区間における平均的な画素の光学特性と、前記制御信号が負極性の区間における平均的な画素の光学特性とが同一になるように、各画素に書き込むデータが補正される。
これにより、液晶表示装置の表示画面におけるフリッカの発生を抑制し、かつ開口率の向上が図れる。
【００２８】
また、前記各画素に書き込むデータの補正は、前記画素を構成する液晶自体または、該液晶の周囲温度の変化を考慮して行う。
これにより、液晶自体または、該液晶の周囲温度の変化に対応して適切にフリッカを抑制することができる。
また、液晶表示装置における前記交流駆動は、面反転駆動により行われる。
これにより、フリッカの抑制効果に加えて、隣接する画素間で横方向電界が生じず、それゆえ、横方向電界の発生に起因する表示画面におけるコントラストの低下を防止するために必要であったブラックマスクを画素電極が形成された素子基板に対向する対向基板に設ける必要がなく、開口率の向上が図れる。
【００２９】
また、本発明のさらに、他の態様は、複数の走査線と複数のデータ線との各交差に対応して配設された画素電極と、該画素電極毎に印加する電圧を制御するスイッチング素子と、前記複数のデータ線と複数の走査線の交差領域に挟持される液晶と、前記画素電極に対して対向配置された対向電極とからなる画素を有し、前記画素を交流駆動して表示する液晶表示装置の駆動回路において、前記複数の画素の各々にデータを書き込む際に、前記交流駆動を行うための制御信号が正極性の区間における平均的な画素の光学特性と、前記制御信号が負極性の区間における平均的な画素の光学特性とが同一になるように、各画素に書き込むデータを補正するデータ補正手段を有することを特徴とする。
【００３０】
本発明のさらに、他の態様においては、前記データ補正手段は、記各画素に書き込むデータの補正は、前記画素を構成する液晶自体または、該液晶の周囲温度の変化を考慮して行うことを特徴とする。
また、本発明のさらに、他の態様においては、さらに、表示画面に発生するフリッカを検出するフリッカ検出手段を有し、前記データ補正手段は、前記フリッカ検出手段の検出出力に基づいてフリッカを無くすように画素に書き込むデータを補正することを特徴とする。
さらに、本発明のさらに、他の態様においては、前記交流駆動は、面反転駆動であることを特徴とする。
【００３１】
本発明のさらに、他の態様によれば、複数の走査線と複数のデータ線との各交差に対応して配設された画素電極と、該画素電極毎に印加する電圧を制御するスイッチング素子と、前記複数のデータ線と複数の走査線の交差領域に挟持される液晶と、前記画素電極に対して対向配置された対向電極とからなる画素が交流駆動され表示される。この場合において、前記複数の画素の各々にデータを書き込む際に、前記交流駆動を行うための制御信号が正極性の区間における平均的な画素の光学特性と、前記制御信号が負極性の区間における平均的な画素の光学特性とが同一になるようにデータ補正手段により、各画素に書き込むデータが補正される。
これにより、液晶表示装置の表示画面におけるフリッカの発生を抑制し、かつ開口率の向上が図れる。
【００３２】
また、記各画素に書き込むデータの補正は、前記データ補正手段により、前記画素を構成する液晶自体または、該液晶の周囲温度の変化を考慮して行われる。
これにより、これにより、液晶自体または、該液晶の周囲温度の変化に対応して適切にフリッカを抑制することができる。
また、前記データ補正手段は、フリッカ検出手段の検出出力に基づいてフリッカを無くすように画素に書き込むデータを補正する。
これにより、液晶表示装置の表示画面において発生したフリッカを、フリッカの発生状態に応じて適切に抑制することができる。
また、液晶表示装置における前記交流駆動は、面反転駆動により行われる。
これにより、フリッカの抑制効果に加えて、隣接する画素間で横方向電界が生じず、それゆえ、横方向電界の発生に起因する表示画面におけるコントラストの低下を防止するために必要であったブラックマスクを画素電極が形成された素子基板に対向する対向基板に設ける必要がなく、開口率の向上が図れる。
【００３３】
また、本発明の別の態様は、複数の走査線と複数のデータ線との各交差に対応して配設された画素電極と、該画素電極毎に印加する電圧を制御するスイッチング素子と、前記複数のデータ線と複数の走査線の交差領域に挟持される液晶と、前記画素電極に対して対向配置された対向電極とからなる画素と、前記走査線を駆動する走査線駆動回路と、前記データ線を駆動するデータ線駆動回路と、前記走査線駆動回路及びデータ線駆動回路を制御する制御手段とを有し、前記画素を前記走査線駆動回路及びデータ線駆動回路により交流駆動して表示する液晶表示装置において、前記制御手段は、前記複数の画素の各々にデータを書き込む際に、前記交流駆動を行うための制御信号が正極性の区間における平均的な画素の光学特性と、前記制御信号が負極性の区間における平均的な画素の光学特性とが同一になるように各画素に書き込むデータを補正するデータ補正手段を有することを特徴とする。
【００３４】
本発明の別の態様においては、前記データ補正手段は、記各画素に書き込むデータの補正は、前記画素を構成する液晶自体または、該液晶の周囲温度の変化を考慮して行うことを特徴とする。
本発明の別の態様においては、さらに、表示画面に発生するフリッカを検出するフリッカ検出手段を有し、前記データ補正手段は、前記フリッカ検出手段の検出出力に基づいてフリッカを無くすように画素に書き込むデータを補正することを特徴とする。
本発明の別の態様においては、前記制御手段は、前記画素を前記走査線駆動回路及びデータ線駆動回路により面反転駆動することを特徴とする。
【００３５】
本発明の別の態様によれば、複数の走査線と複数のデータ線との各交差に対応して配設された画素電極と、該画素電極毎に印加する電圧を制御するスイッチング素子と、前記複数のデータ線と複数の走査線の交差領域に挟持される液晶と、前記画素電極に対して対向配置された対向電極とからなる画素が、制御手段により制御される走査線駆動回路及びデータ線駆動回路により交流駆動され、表示される。
この場合において、前記制御手段が有するデータ補正手段により、前記複数の画素の各々にデータを書き込む際に、前記交流駆動を行うための制御信号が正極性の区間における平均的な画素の光学特性と、前記制御信号が負極性の区間における平均的な画素の光学特性とが同一になるように各画素に書き込むデータが補正される。
これにより、液晶表示装置の表示画面におけるフリッカの発生を抑制し、かつ開口率の向上が図れる。
【００３６】
また、記各画素に書き込むデータの補正は、前記データ補正手段により、前記画素を構成する液晶自体または、該液晶の周囲温度の変化を考慮して行われる。
これにより、液晶自体または、該液晶の周囲温度の変化に対応して適切にフリッカを抑制することができる。
また、前記データ補正手段は、フリッカ検出手段の検出出力に基づいてフリッカを無くすように画素に書き込むデータを補正する。
これにより、液晶表示装置の表示画面において発生したフリッカを、フリッカの発生状態に応じて適切に抑制することができる。
【００３７】
また、前記制御手段は、前記画素を前記走査線駆動回路及びデータ線駆動回路により面反転駆動する。
これにより、フリッカの抑制効果に加えて、隣接する画素間で横方向電界が生じず、それゆえ、横方向電界の発生に起因する表示画面におけるコントラストの低下を防止するために必要であったブラックマスクを画素電極が形成された素子基板に対向する対向基板に設ける必要がなく、開口率の向上が図れる。
【００３８】
さらに、本発明のさらに別の態様に係る電子機器にあっては、上記液晶表示装置を有するので、液晶表示装置の表示画面におけるフリッカの発生を抑制することができる。
また、本発明のさらに別の態様に係る電子機器は、上記液晶表示装置を有するので、液晶自体または、該液晶の周囲温度の変化に対応して適切にフリッカを抑制することができる。
また、本発明のさらに別の態様に係る電子機器は、上記液晶表示装置を有するので、液晶表示装置の表示画面において発生したフリッカを、フリッカの発生状態に応じて適切に抑制することができる。
【００３９】
さらに、本発明のさらに別の態様に係る電子機器は、上記液晶表示装置を有するので、画素を前記走査線駆動回路及びデータ線駆動回路により面反転駆動することにより、フリッカの抑制効果に加えて、隣接する画素間で横方向電界が生じず、それゆえ、横方向電界の発生に起因する表示画面におけるコントラストの低下を防止するために必要であったブラックマスクを画素電極が形成された素子基板に対向する対向基板に設ける必要がなく、開口率の向上が図れる。
【発明を実施するための最良の形態】
【００４０】
以下、本発明の実施の形態を図面を参照して詳細に説明する。
まず、本実施の形態に係る液晶表示装置は、画素電極が形成された素子基板と、画素電極に対向する対向電極（共通電極）が形成された対向基板とが、互いに一定の間隙を保って貼付され、この間隙に電気光学材料たる液晶が封入され、挟持される構成となっている。
本実施の形態に係る液晶表示装置の電気的構成を図１に示す。同図において、本実施の形態に係る液晶表示装置は、走査線駆動回路１０と、データ線駆動回路１１と、画素がマトリクス状に形成された画素マトリクス１２と、ガンマ変換回路１３と、ガンマ変換回路１３の出力をＤ／Ａ変換するＤ／Ａ変換回路１４と、Ｄ／Ａ変換回路１４の出力信号をフィールド毎に極性反転する極性反転回路１５と、データバッファ１６と、各データ線２１にビデオ信号を分配するサンプルホールドトランジスタ２０と、フリッカ検出回路３０とを有している。
【００４１】
画素マトリクス１２におけるデータ線２１と走査線２２との交差領域に形成される画素１は、複数の走査線２２と複数のデータ線２１との各交差に対応して素子基板上に形成された画素電極３と、画素電極毎に印加する電圧を制御するスイッチング素子２と、複数の走査線２２と複数のデータ線２１との交差領域に挟持される液晶と、画素電極３に対向して対向基板上に配置される対向電極４とから構成される。対向電極４には共通電位ＬＣＣＯＭが供給されている。
走査線駆動回路１０には、走査スタートパルスＤＹ及び走査シフトクロックＣＬＹが入力され、走査シフトクロックＣＬＹの出力タイミングで走査スタートパルスが転送され、各走査線２２の走査が行われるようになっている。
【００４２】
また、データ線駆動回路１１には、ラッチパルスＬＰ及びシフトクロックＣＬＸが入力され、シフトクロックＣＬＸによりラッチパルスＬＰが転送され、サンプルホールドトランジスタ２０に画像信号が保持され、各データ線２１に画像信号が供給されるようになっている。
ガンマ変換回路１３は、各画素１を交流駆動（本実施の形態では面反転駆動）し、データ（画像信号）を書き込む場合に、後述する交流駆動を行うための制御信号である交流化信号ＦＲが正極性の区間における画素１の書き込み特性と、交流化信号ＦＲが負極性の区間における画素の書き込み特性とが同一になるように、各画素に書き込むデータを補正する機能を有している。すなわち、正極性、負極性で表示データを書き込んだ場合に画素が同一の透過率を示すように入力データを駆動信号に変換する際に補正する。
【００４３】
ガンマ変換回路１３には、複数ビットで構成される入力データ（画像データ）Ｄ０〜Ｄｎ、図示してない制御部より出力される交流化信号ＦＲ、画素１を構成する液晶自体または、この液晶の周囲温度を検出する温度センサ（図示せず）の検出出力、及びフリッカ検出回路３０の検出出力が入力される。
ガンマ変換回路１３は、上記温度センサの検出出力、フリッカ検出回路の検出出力に基づいて画像データから、出力する液晶駆動信号を決定する。このとき交流化信号ＦＲが正極性の区間においては正極性用の、また交流化信号ＦＲが負極性の区間においては負極性用のデータ変換テーブルを用いて、上記の液晶駆動信号を求めるようになっている。
【００４４】
ガンマ変換回路１３は、本発明のデータ補正手段に相当する。
【００４５】
極性反転回路１５は、入力される交流化信号ＦＲ（図２（Ｂ））に基づいてガンマ変換回路１３からＤ／Ａ変換回路１４を介して入力される駆動信号、すなわちアナログの画像信号ＶＩＤＥＯ'（図２（Ｃ））をフィールド毎に反転した画像信号ＶＩＤＥＯ（図２（Ａ））とし、データバッファ１６を介してサンプルホールドトランジスタ２０に出力するようになっている。
【００４６】
次に、図３、図４を用いフリッカ検出回路３０について説明する。フリッカ検出回路３０は、光源３０Ａと、フリッカ検出器３０Ｂとから構成される。例えば、液晶表示装置が透過型の場合には、図３に示すように、液晶表示装置５０において、画像を表示する表示エリア５０Ａの他にフリッカを検出するための検出エリア５０Ｂを設け、表示エリアと検出エリアの画素を同一条件で駆動し、検出エリアに光源３０Ａより光を照射し、その透過光を受光するフリッカ検出器３０Ｂによりフリッカを検出する。フリッカ検出器３０Ｂは、検出エリア５０Ｂの透過光が、例えば、液晶表示装置５０の各画素が３０Ｈｚで交流駆動される場合に、明るさのピークの周期が交流化信号ＦＲの反転周期である３０Ｈｚで変化するか否かによりフリッカの発生の有無を判定する。
【００４７】
このフリッカの検出は、例えば、所定周期毎に、あるいは起動時直後等のキャリブレーションの期間に検出エリア５０Ｂにおける画素を一定の透過率（階調）に設定し、全階調について行い、ガンマ変換回路１３における正極性用変換テーブルと、負極性用変換テーブルにおける変換データをフリッカが無くなるように設定する。
また、このガンマ変換回路１３における正極性用変換テーブルと、負極性用変換テーブルにおける変換データは、画素を構成する液晶自体または、液晶の周囲の温度変化に基づいて、フリッカが発生しない適正値となるように、ガンマ変換回路１３により、上記温度センサの検出出力に基づいて変更するように設定される。
【００４８】
ここで、変換データを変更する際における変換データの決定方法について図８及び図９を参照して説明する。図８（Ａ）に示すように、液晶表示装置の表示エリアを複数のエリアＡ11〜Ａ33に分割し（本実施の形態では、説明の便宜上、９分割とする。）、各エリアを代表する画素ポイントＰ11〜Ｐ33について、各階調に対応する書き込み電圧、すなわち液晶駆動電圧を定義し、各エリアを代表する画素ポイント以外の画素の液晶駆動電圧は上記画素ポイントＰ11〜Ｐ33について補間演算により決定する。
【００４９】
例えば、図８（Ｂ）に示すように、エリアＡ11における画素ポイントＰ11とエリアＡ12における画素ポイントＰ12とを結ぶ直線上の一点Ｐxにおけるある階調における液晶駆動電圧Ｖxは、その階調における画素ポイントＰ11の液晶駆動電圧をＶ、画素ポイントＰ12における液晶駆動電圧をＶ'とし、画素ポイントＰ11から点Ｐxまでの距離をｘ１、画素ポイントＰ12から点Ｐxまでの距離をｘ２とすると、
Ｖx＝（Ｖ・ｘ１＋Ｖ'・ｘ２）／（ｘ１＋ｘ２）           （１） となる。
【００５０】
また、上記代表画素ポイント相互を結ぶ直線上から外れる画素については、例えば、図９に示すように３段階の直線補間演算を行うことにより液晶駆動電圧、すなわち変換データを決定する。すなわち、図９において、求める画素ポイントをＰxとし、エリアＡ11，Ａ12，Ａ21，Ａ22における代表画素ポイントをそれぞれ、Ｐ11、Ｐ12、Ｐ21、Ｐ22とする。画素ポイントＰ11と画素ポイントP12とを直線で結び、かつ画素ポイントＰ21と画素ポイントＰ22とを直線で結ぶと共に、画素ポイントＰxを通り、画素ポイントＰ11と画素ポイントＰ12とを結ぶ直線と、画素ポイントＰ21と画素ポイントＰ22とを結ぶ直線との交点をそれぞれ、Ｐx1、Ｐx2とする。また、これらの代表画素ポイントＰ11、Ｐ12、Ｐ21、Ｐ22のある階調における液晶駆動電圧をＶ11、Ｖ12、Ｖ21、Ｖ22とする。
【００５１】
ここで点Ｐx1について、画素ポイントＰ11と画素ポイントＰ12について定義された液晶駆動電圧Ｖ11、Ｖ12から上述した直線補間演算により液晶駆動電圧Ｖx1を求め、次いで点Ｐx2について画素ポイントＰ21と画素ポイントＰ22について定義された液晶駆動電圧Ｖ21、Ｖ22から直線補間演算により液晶駆動電圧Ｖx2を求める。最後に、点Ｐx1と点Ｐx2とを結ぶ直線上にある画素ポイントＰxについて既述した直線補間演算により液晶駆動電圧Ｖxを求める。
【００５２】
また、液晶表示装置が反射型である場合（液晶プロジェクタ等の場合）には、図４に示すように、液晶表示装置６０において、光源３０Ａから出射光を表示エリア６０Ａの特定の画素に照射し、その反射光をフリッカ検出器３０Ｂで受光し、フリッカを検出する。フリッカの検出手法については図３に示す透過型の液晶表示装置５０の場合と同様である。図４に示すフリッカ検出回路３０において、光源３０Ａの表示エリア６０Ａからの反射光は、投射レンズ側には入射されないので、表示には影響しない。図４に示すフリッカ検出回路３０では、表示エリア６０Ａでのフリッカの発生状態を実測することができる。フリッカ検出回路３０は、本発明のフリッカ検出手段に相当する。また、ガンマ変換手段１３、Ｄ／Ａ変換回路及び極性反転回路１５は、本発明の制御手段の一部を構成している。
【００５３】
上記構成において、例えば、液晶表示装置を透過型とすると、起動時にガンマ変換回路１３における正極性用変換テーブルと、負極性用変換テーブルにおける変換データは、フリッカ検出回路３０の検出出力に基づいて全階調にわたって、フリッカが発生しないように、初期設定される。また、この時、液晶自体、または液晶の周囲の温度を検出する温度センサの検出出力に基づいて、初期設定された上記正極性用変換テーブルと、負極性用変換テーブルにおける変換データは、上記温度に応じた適正値に修正するように設定される。このフリッカ検出回路３０の検出出力に基づく上記各テーブルにおける変換データの初期設定、上記温度センサの検出出力に基づく上記各テーブルにおける変換データの更新は、適宜、行われるものとする。
【００５４】
次に、上述したようにガンマ変換回路１３における正極性用変換テーブルと、負極性用変換テーブルにおける変換データが設定されている状態で、ガンマ変換回路１３に複数ビットで構成される画像データＤ０〜Ｄｎが入力されると、この画像データＤ０〜Ｄｎが示す階調Ｎｉ（画素の透過率Ｔ0に相当）に対応する液晶駆動電圧を設定された正極性用変換テーブルと、負極性用変換テーブルとから求める。ここで、図５は、階調データと液晶駆動電圧との関係を示す特性図、図６は、液晶駆動電圧と液晶の透過率との関係を示す特性図である。
図５おいて、曲線Ｑ１０は、正極性用変換テーブルに設定されている変換データを、曲線Ｑ１１は、負極性用変換テーブルに設定されている変換データを、それぞれ、説明の便宜上アナログ特性として示したものである。上記各テーブルにはディジタルデータとして設定されている。
【００５５】
図５より、画像データＤ０〜Ｄｎが示す階調Ｎｉに相当する目標透過率Ｔ0を得るには、画素に交流化信号ＦＲが正極性である期間では液晶駆動電圧Ｖ１を、交流化信号ＦＲが負極性である期間では液晶駆動電圧Ｖ２を画素に書き込む必要がある。このように画素に書き込む液晶駆動電圧を設定することにより図６に示すように、交流化信号ＦＲが正極性である期間と、交流化信号ＦＲが負極性である期間とで、それぞれの期間における画素の平均透過率、すなわち液晶の透過率が目標透過率Ｔ0に維持される。この結果、図７に示すように、フィールド毎に反転する交流化信号ＦＲで液晶を駆動する場合（図７（Ａ））において、階調データとして、Ｎｉが複数のフィールドにわたって設定されている場合に、これらの各フィールドでほぼ、目標透過率Ｔ0に維持され、フリッカの発生が抑制される。
【００５６】
以上、本発明の実施の形態に係る液晶表示装置によれば、複数の走査線と複数のデータ線との各交差に対応して配設された画素電極と、該画素電極毎に印加する電圧を制御するスイッチング素子と、前記複数のデータ線と複数の走査線の交差領域に挟持される液晶と、前記画素電極に対して対向配置された対向電極とからなる画素と、前記走査線を駆動する走査線駆動回路と、前記データ線を駆動するデータ線駆動回路と、前記走査線駆動回路及びデータ線駆動回路を制御する制御手段とを有し、前記画素を前記走査線駆動回路及びデータ線駆動回路により交流駆動して表示する液晶表示装置において、前記制御手段は、前記複数の画素の各々にデータを書き込む際に、前記交流駆動を行うための制御信号が正極性の区間における平均的な画素の光学特性と、前記制御信号が負極性の区間における平均的な画素の光学特性とが同一になるように各画素に書き込むデータを補正するデータ補正手段を有するので、液晶表示装置の表示画面におけるフリッカの発生を抑制し、かつ開口率の向上が図れる。
【００５７】
また、本発明の実施の形態に係る液晶表示装置によれば、前記データ補正手段は、記各画素に書き込むデータの補正は、前記画素を構成する液晶自体または、該液晶の周囲温度の変化を考慮して行うので、液晶自体または、該液晶の周囲温度の変化に対応して適切にフリッカを抑制することができる。
また、本発明の実施の形態に係る液晶表示装置によれば、前記データ補正手段は、フリッカ検出手段の検出出力に基づいてフリッカを無くすように画素に書き込むデータを補正するので、液晶表示装置の表示画面において発生したフリッカを、フリッカの発生状態に応じて適切に抑制することができる。
【００５８】
さらに、本発明の実施の形態に係る液晶表示装置によれば、前記制御手段は、前記画素を前記走査線駆動回路及びデータ線駆動回路により面反転駆動するので、フリッカの抑制効果に加えて、隣接する画素間で横方向電界が生じず、それゆえ、横方向電界の発生に起因する表示画面におけるコントラストの低下を防止するために必要であったブラックマスクを画素電極が形成された素子基板に対向する対向基板に設ける必要がなく、開口率の向上が図れる。
【００５９】
＜液晶装置の全体構成＞
次に、上述した実施形態や応用形態に係る液晶表示装置の構造について、図１５および図１６を参照して説明する。ここで、図１５は、液晶表示装置１００の構成を示す平面図であり、図１６は、図１５におけるＡ−Ａ’線の断面図である。
これらの図に示されるように、液晶表示装置１００は、画素電極３などが形成された素子基板１０１と、対向電極４などが形成された対向基板１０２とが、互いにシール材１０４によって一定の間隙を保って貼り合わせられるとともに、この間隙に電気光学材料としての液晶１０５が挟持された構造となっている。  なお、実際には、シール材１０４には切欠部分があって、ここを介して液晶１０５が封入された後、封止材により封止されるが、これらの図においては省略されている。
【００６０】
対向基板１０２は、ガラス等から構成される透明な基板である。また、上述した説明では、素子基板１０１は透明基板からなると記載したが、反射型の液晶表示装置の場合は、半導体基板とすることもできる。この場合、半導体基板は不透明なので、画素電極３はアルミニウムなどの反射性金属で形成される。
さて、素子基板１０１において、シール材１０４の内側かつ表示領域１０１ａの外側領域には、遮光膜１０６が設けられている。この遮光膜１０６が形成される領域内のうち、領域１３０ａには走査線駆動回路１０が形成され、また、領域１４０ａにはデータ線駆動回路１１が形成されている。
【００６１】
すなわち、遮光膜１０６は、この領域に形成される駆動回路に光が入射するのを防止している。この遮光膜１０６には、対向電極４とともに、対向電極電圧ＶＬＣＣＯＭが印加される構成となっている。
また、素子基板１０１において、データ線駆動回路１１が形成される領域１４０ａ外側で、あって、シール材１０４を隔てた領域１０７には、複数の接続端子が形成されて、外部からの制御信号や電源などを入力する構成となっている。
【００６２】
一方、対向基板１０２の対向電極４は、基板貼合部分における４隅のうち、少なくとも１箇所において設けられた導通材（図示省略）によって、素子基板１０１における遮光膜１０６および接続端子と電気的な導通が図られている。すなわち、対向電極電圧ＶＬＣＣＯＭは、素子基板１０１に設けられた接続端子を介して、遮光膜１０６に、さらに、導通材を介して対向電極４に、それぞれ印加される構成となっている。
ほかに、対向基板１０２には、液晶表示装置１００の用途に応じて、例えば、直視型であれば、第１に、ストライプ状や、モザイク状、トライアングル状等に配列したカラーフィルタが設けられ、第２に、例えば、金属材料や樹脂などからなる遮光膜（ブラックマトリクス）が設けられる。
【００６３】
なお、色光変調の用途の場合には、例えば、後述するプロジェクタのライトバルブとして用いる場合には、カラーフィルタは形成されない。また、直視型の場合、液晶表示装置１００に光を対向基板１０２側もしくは素子基板側から照射するライトが必要に応じて設けられる。くわえて、素子基板１０１および対向基板１０２の電極形成面には、それぞれ所定の方向にラビング処理された配向膜（図示省略）などが設けられて、電圧無印加状態における液晶分子の配向方向を規定する一方、対向基板１０１の側には、配向方向に応じた偏光子（図示省略）が設けられる。ただし、液晶１０５として、高分子中に微小粒として分散させた高分子分散型液晶を用いれば、前述の配向膜や偏光子などが不要となる結果、光利用効率が高まるので、高輝度化や低消費電力化などの点において有利である。
【００６４】
＜電子機器＞
次に、上述した液晶装置を具体的な電子機器に用いた例のいくつかについて説明する。
＜プロジェクタ＞まず、実施形態に係る液晶表示装置をライトバルブとして用いたプロジェクタについて説明する。図１７は、このプロジェクタの構成を示す平面図である。この図に示されるように、プロジェクタ１１００内部には、偏光照明装置１１１０がシステム光軸ＰＬに沿って配置している。
【００６５】
この偏光照明装置１１１０において、ランプ１１１２からの出射光は、リフレクタ１１１４による反射で略平行な光束となって、第１のインテグレータレンズ１１２０に入射する。これにより、ランプ１１１２からの出射光は、複数の中間光束に分割される。この分割された中間光束は、第２のインテグレータレンズを光入射側に有する偏光変換素子１１３０によって、偏光方向がほほ揃った一種類の偏光光束（ｓ偏光光束）に変換されて、偏光照明装置１１１０から出射されることとなる。
【００６６】
さて、偏光照明装置１１１０から出射されたｓ偏光光束は、偏光ビームスプリッタ１１４０のｓ偏光光束反射面１１４１によって反射される。この反射光束のうち、青色光（Ｂ）の光束がダイクロイックミラー１１５１の青色光反射層にて反射され、反射型の液晶表示装置１００Ｂによって変調される。また、ダイクロイックミラー１１５１の青色光反射層を透過した光束のうち、赤色光（Ｒ）の光束は、ダイクロイックミラー１１５２の赤色光反射層にて反射され、反射型の液晶表示装置１００Ｒによって変調される。
【００６７】
一方、ダイクロイックミラ一１１５１の青色光反射層を透過した光束のうち、緑色光（Ｇ）の光束は、ダイクロイックミラー１１５２の赤色光反射層を透過して、反射型の液晶表示装置１００Ｇによって変調される。
このようにして、液晶表示装置１００Ｒ、１００Ｇ、１００Ｂによってそれぞれ色光変調された赤色、緑色、青色の光は、ダイクロイックミラー１１５２、１１５１、偏光ビームスプリッタ１１４０によって順次合成された後、投写光学系１１６０によって、スクリーン１１７０に投写されることとなる。なお、液晶表示装置１００Ｒ、１００Ｂおよび１００Ｇには、ダイクロイックミラー１１５１、１１５２によって、Ｒ、Ｇ、Ｂの各原色に対応する光束が入射するので、カラーフィルタは必要ない。
なお、本実施形態においては、反射型の液晶表示装置を用いたが、透過型表示の液晶表示装置を用いたプロジェクタとしても構わない。
【００６８】
＜モバイル型コンピュータ＞
次に、上記液晶表示装置を、モバイル型のパーソナルコンピュータに適用した例について説明する。図１８は、このパーソナルコンピュータの構成を示す斜視図である。同図において、コンピュータ１２００は、キーボード１２０２を備えた本体部１２０４と、表示ユニット１２０６とから構成されている。この表示ユニット１２０６は、先に述べた液晶表示装置１００の前面にフロントライトを付加することにより構成されている。
なお、この構成では、液晶表示装置１００を反射直視型として用いることになるので、画素電極３において、反射光が様々な方向に散乱するように、凹凸が形成される構成が望ましい。
【００６９】
＜携帯電話＞
さらに、上記電気光学装置を、携帯電話に適用した例について説明する。図１９は、この携帯電話の構成を示す斜視図である。同図において、携帯電話１３００は、複数の操作ボタン１３０２のほか、受話口１３０４、送話口１３０６とともに、液晶表示装置１００を備えるものである。
この液晶表示装置１００にも、必要に応じてその前面にフロントライトが設けられる。また、この構成でも、液晶表示装置１００が反射直視型として用いられることになるので、画素電極３に凹凸が形成される構成が望ましい。
【００７０】
なお、電子機器としては、図１８、図１９を参照して説明した他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器に対して、実施形態や応用形態に係る液晶表示装置が適用可能なのは言うまでもない。
【００７１】
以上、第１の発明によれば、複数のデータ線と複数の走査線との交差領域に挟持される液晶を備える複数の画素が、交流駆動により表示される。この場合において、前記複数の画素の各々にデータを書き込む際に、前記交流駆動を行うための制御信号が正極性の区間における平均的な画素の光学特性と、前記制御信号が負極性の区間における平均的な画素の光学特性とが同一になるように各画素に書き込むデータが補正される。
これにより、液晶表示装置の表示画面におけるフリッカの発生を抑制し、かつ開口率の向上が図れる。
【００７２】
また、前記各画素に書き込むデータの補正は、前記画素を構成する液晶自体または、該液晶の周囲温度の変化を考慮して行う。
これにより、液晶自体または、該液晶の周囲温度の変化に対応して適切にフリッカを抑制することができる。
また、液晶表示装置における前記交流駆動は、面反転駆動により行われる。
これにより、フリッカの抑制効果に加えて、隣接する画素間で横方向電界が生じず、それゆえ、横方向電界の発生に起因する表示画面におけるコントラストの低下を防止するために必要であったブラックマスクを画素電極が形成された素子基板に対向する対向基板に設ける必要がなく、開口率の向上が図れる。
【００７３】
第２の発明によれば、複数の走査線と複数のデータ線との各交差に対応して配設された画素電極と、該画素電極毎に印加する電圧を制御するスイッチング素子と、前記複数のデータ線と複数の走査線の交差領域に挟持される液晶と、前記画素電極に対して対向配置された対向電極とからなる画素が交流駆動され表示される。この場合において、前記複数の画素の各々にデータを書き込む際に、前記交流駆動を行うための制御信号が正極性の区間における平均的な画素の光学特性と、前記制御信号が負極性の区間における平均的な画素の光学特性とが同一になるようにデータ補正手段により、各画素に書き込むデータが補正される。
これにより、液晶表示装置の表示画面におけるフリッカの発生を抑制し、かつ開口率の向上が図れる。
【００７４】
また、記各画素に書き込むデータの補正は、前記データ補正手段により、前記画素を構成する液晶自体または、該液晶の周囲温度の変化を考慮して行われる。
これにより、これにより、液晶自体または、該液晶の周囲温度の変化に対応して適切にフリッカを抑制することができる。
また、前記データ補正手段は、フリッカ検出手段の検出出力に基づいてフリッカを無くすように画素に書き込むデータを補正する。
これにより、液晶表示装置の表示画面において発生したフリッカを、フリッカの発生状態に応じて適切に抑制することができる。
【００７５】
また、液晶表示装置における前記交流駆動は、面反転駆動により行われる。
これにより、フリッカの抑制効果に加えて、隣接する画素間で横方向電界が生じず、それゆえ、横方向電界の発生に起因する表示画面におけるコントラストの低下を防止するために必要であったブラックマスクを画素電極が形成された素子基板に対向する対向基板に設ける必要がなく、開口率の向上が図れる。
【００７６】
第３の発明によれば、複数の走査線と複数のデータ線との各交差に対応して配設された画素電極と、該画素電極毎に印加する電圧を制御するスイッチング素子と、前記複数のデータ線と複数の走査線の交差領域に挟持される液晶と、前記画素電極に対して対向配置された対向電極とからなる画素が、制御手段により制御される走査線駆動回路及びデータ線駆動回路により交流駆動され、表示される。
この場合において、前記制御手段が有するデータ補正手段により、前記複数の画素の各々にデータを書き込む際に、前記交流駆動を行うための制御信号が正極性の区間における平均的な画素の光学特性と、前記制御信号が負極性の区間における平均的な画素の光学特性とが同一になるように各画素に書き込むデータが補正される。
これにより、液晶表示装置の表示画面におけるフリッカの発生を抑制し、かつ開口率の向上が図れる。
【００７７】
また、記各画素に書き込むデータの補正は、前記データ補正手段により、前記画素を構成する液晶自体または、該液晶の周囲温度の変化を考慮して行われる。
これにより、液晶自体または、該液晶の周囲温度の変化に対応して適切にフリッカを抑制することができる。
また、前記データ補正手段は、フリッカ検出手段の検出出力に基づいてフリッカを無くすように画素に書き込むデータを補正する。
これにより、液晶表示装置の表示画面において発生したフリッカを、フリッカの発生状態に応じて適切に抑制することができる。
【００７８】
また、前記制御手段は、前記画素を前記走査線駆動回路及びデータ線駆動回路により面反転駆動する。
これにより、フリッカの抑制効果に加えて、隣接する画素間で横方向電界が生じず、それゆえ、横方向電界の発生に起因する表示画面におけるコントラストの低下を防止するために必要であったブラックマスクを画素電極が形成された素子基板に対向する対向基板に設ける必要がなく、開口率の向上が図れる。
【００７９】
第４の発明に係る電子機器にあっては、上記液晶表示装置を有するので、液晶表示装置の表示画面におけるフリッカの発生を抑制することが出来る。
また、第４の発明に係る電子機器は、上記液晶表示装置を有するので、液晶自体または、該液晶の周囲温度の変化に対応して適切にフリッカを抑制することができる。
また、第４の発明に係る電子機器は、上記液晶表示装置を有するので、液晶表示装置の表示画面において発生したフリッカを、フリッカの発生状態に応じて適切に抑制することができる。
【００８０】
さらに、第４の発明に係る電子機器は、上記液晶表示装置を有するので、画素を前記走査線駆動回路及びデータ線駆動回路により面反転駆動することにより、フリッカの抑制効果に加えて、隣接する画素間で横方向電界が生じず、それゆえ、横方向電界の発生に起因する表示画面におけるコントラストの低下を防止するために必要であったブラックマスクを画素電極が形成された素子基板に対向する対向基板に設ける必要がなく、開口率の向上が図れる。
【図面の簡単な説明】
【００８１】
【図１】本発明の実施の形態に係る液晶表示装置の電気的構成を示すブロック図。
【図２】図１に示した本発明の実施の形態に係る液晶表示装置の動作状態を示すタイミングチャート。
【図３】図１に示した本発明の実施の形態に係る液晶表示装置におけるフリッカ検出回路の構成の一例を示す説明図。
【図４】図１に示した本発明の実施の形態に係る液晶表示装置におけるフリッカ検出回路の構成の他の例を示す説明図。
【図５】図１に示した本発明の実施の形態に係る液晶表示装置におけるガンマ変換回路における画素の書き込み特性を示す特性図。
【図６】図１に示した本発明の実施の形態に係る液晶表示装置における液晶駆動電圧と液晶の透過率との関係を示す特性図。
【図７】図１に示した本発明の実施の形態に係る液晶表示装置による効果を示す説明図。
【図８】図１に示した本発明の実施の形態に係る液晶表示装置におけるガンマ変換回路における画素の書き込み特性を規定する変換データの決定方法の一例を示す説明図。
【図９】図１に示した本発明の実施の形態に係る液晶表示装置におけるガンマ変換回路における画素の書き込み特性を規定する変換データの決定方法の他の例を示す説明図。
【図１０】ドット反転駆動方式における各画素電極に書き込まれる電位の極性の一例と、隣接する画素における電界の発生状態とを示す説明図。
【図１１】面反転駆動方式における各画素電極に書き込まれる電位の極性の一例と、隣接する画素における電界の発生状態とを示す説明図。
【図１２】液晶表示装置における階調データと液晶駆動電圧との関係を示す特性図。
【図１３】液晶表示装置における液晶駆動電圧と液晶の透過率との関係を示す特性図。
【図１４】従来の液晶表示装置において、フリッカが発生する状態を示す説明図。
【図１５】本発明の実施の形態に係る電気光学装置の構造を示す平面図。
【図１６】本発明の実施の形態に係る電気光学装置の構造を示す断面図。
【図１７】本発明の実施の形態に係る電気光学装置を適用した電子機器の一例たるプロジェクタの構成を示す断面図。
【図１８】本発明の実施の形態に係る電気光学装置を適用した電子機器の一例たるパーソナルコンピュータの構成を示す斜視図。
【図１９】本発明の実施の形態に係る電気光学装置を適用した電子機器の一例たる携帯電話の構成を示す斜視図。
【符号の説明】
【００８２】
１  画素  ２  スイッチング素子  ３  画素電極  ４  対向電極     １０  走査線駆動回路    １１  データ線駆動回路    １２  画素マトリクス    １３  ガンマ変換回路    １４  Ｄ／Ａ変換回路    １５  極性反転回路    ２１  データ線    ２２  走査線  １００  液晶表示装置  １０１  素子基板  １０１ａ  表示領域  １０２  対向基板  １０５  液晶
【図１】
2006350391.tif 000003
【図２】
2006350391.tif 000004
【図３】
2006350391.tif 000005
【図４】
2006350391.tif 000006
【図５】
2006350391.tif 000007
【図６】
2006350391.tif 000008
【図７】
2006350391.tif 000009
【図８】
2006350391.tif 000010
【図９】
2006350391.tif 000011
【図１０】
2006350391.tif 000012
【図１１】
2006350391.tif 000013
【図１２】
2006350391.tif 000014
【図１３】
2006350391.tif 000015
【図１４】
2006350391.tif 000016
【図１５】
2006350391.tif 000017
【図１６】
2006350391.tif 000018
【図１７】
2006350391.tif 000019
【図１８】
2006350391.tif 000020
【図１９】
2006350391.tif 000021